(57)【要約】      （修正有）【課題】クルーンに形成される貫通孔を通過した遊技球の落下地点の位置を安定させることができる遊技機を提供する。【解決手段】遊技球が転動可能な第一のルート２１１および第二のルート２１２と、遊技球をいずれかのルート２１１，２１２に振り分けるクルーン部材２２とを備える遊技機において、クルーン部材には、遊技球が転動する擂り鉢状の転動面２２１と、転動面２２１に形成され転動面２２１を転動する遊技球を複数のルート２１１，２１２のいずれかに振り分ける複数の貫通孔２２３，２２４とが形成されるとともに、前記複数の貫通孔２２３，２２４のうち、複数のルート２１１，２１２のうちの特定のルートに遊技球を振り分ける貫通孔２２３の開口部周縁には、クルーン部材の転動面２２１の下面から特定のルートに向かって突出して貫通孔２２３を通過する遊技球の貫通孔２２３の軸線方向以外の動きを規制するガイドが形成される。【選択図】図５
2010029363.tif 000002
【特許請求の範囲】
【請求項１】
遊技球が転動可能な複数のルートと、遊技球を前記複数のルートに振り分ける遊技球振り分け部材とを備える遊技機において、
前記遊技球振り分け部材には、遊技球が転動する擂り鉢状の転動面と、
該転動面に形成され該転動面を転動する遊技球を前記複数のルートに振り分ける複数の貫通孔と、
が形成されるとともに、
前記複数の貫通孔のうち、前記複数のルートのうちの特定のルートに遊技球を振り分ける貫通孔の開口部周縁には、前記遊技球振り分け部材の転動面の下面から前記特定のルートに向かって突出して前記貫通孔を通過する遊技球の前記貫通孔の軸線方向以外の動きを規制するガイドが形成されることを特徴とする遊技機。
【請求項２】
前記ガイドは略円筒形状に形成されて前記貫通孔を囲繞し、前記貫通孔を通過する遊技球の前記貫通孔および前記ガイドの軸線方向以外の動きを規制することを特徴とする請求項１に記載の遊技機。
【請求項３】
前記特定のルートのうち、少なくとも前記ガイドが形成される貫通孔に対向する位置およびその近傍には、前記貫通孔を通過して前記特定のルートに振り分けられた遊技球が前記特定のルートから脱落することを規制する落下防止壁が形成されることを特徴とする請求項１または請求項２に記載の遊技機。
【請求項４】
前記遊技球振り分け部材に遊技球を導入する誘導経路を備えており、
該誘導経路には前記特定のルート以外のルートに遊技球を誘導する導出部が形成されることを特徴とする請求項１から請求項３のいずれかに記載の遊技機。
【請求項５】
前記複数のルートは、遊技球が入賞口に入賞する確率が比較的高いルートと、遊技球が入賞口に入賞する確率が比較的低いかまたは入賞口に入賞しない他のルートとを備えており、
前記特定のルートは、前記遊技球が入賞口に入賞する確率が比較的高いルートであることを特徴とする請求項１から請求項４のいずれかに記載の遊技機。
【請求項６】
遊技球が転動可能なルートと、遊技球を前記ルート上の異なる位置に振り分ける遊技球振り分け部材を備える遊技機において、
前記遊技球振り分け部材には遊技球が転動する擂り鉢状の転動面と、
該転動面に形成され転動面を転動する遊技球を前記ルート上の異なる位置に振り分ける複数の貫通孔と、
が形成されるとともに、
前記複数の貫通孔のうちの前記遊技球のルート上の特定の位置に遊技球を振り分ける貫通孔の開口部周縁には前記遊技球振り分け部材の転動面の下面から前記のルートの特定の位置に向かって突出するガイドが形成され、前記貫通孔を通過する遊技球の前記貫通孔の軸線方向以外の動きを規制することを特徴とする遊技機。
【請求項７】
前記ガイドは略円筒形状に形成されて前記貫通孔を囲繞し、前記貫通孔を通過する遊技球の前記貫通孔および前記ガイドの軸線方向以外の動きを規制することを特徴とする請求項６に記載の遊技機。
【請求項８】
前記ルート上の少なくとも前記ガイドが形成される貫通孔を通過した遊技球が落下する位置およびその近傍には、前記ルート上に落下した遊技球が前記ルートから脱落することを規制する落下防止壁が形成されることを特徴とする請求項６または請求項７に記載の遊技機。
【請求項９】
前記ルートは、遊技球が入賞口に入賞する確率が比較的高いルートと、遊技球が入賞口に入賞する確率が比較的低いかまたは入賞口に入賞しない他のルートとを備えており、
前記遊技球振り分け部材は、前記入賞口に入賞する確率が高いルート上の異なる位置に遊技球を振り分けるものであり、
前記遊技球のルート上の少なくとも前記ガイドが形成される貫通孔を通過した遊技球が落下する位置および近傍には、前記貫通孔から振り分けられた遊技球が、前記遊技球が入賞口に入賞する確率が比較的高いルートから脱落することを規制するリブが形成され、
前記遊技球のルート上の前記ガイドが形成されない貫通孔を通過した遊技球が落下する位置には、落下した遊技球を前記遊技球が入賞口に入賞する確率が比較的低いかまたは入賞口に入賞しない他のルートに誘導する導出部が形成されることを特徴とする請求項６から請求項８のいずれかに記載の遊技機。
【請求項１０】
前記遊技球振り分け部材に遊技球を導入する誘導経路を備えており、
該誘導経路には前記遊技球が入賞口に入賞する確率が比較的低いかまたは入賞口に入賞しない他のルートに遊技球を誘導する導出部が形成されることを特徴とする請求項９に記載の遊技機。
【発明の詳細な説明】
【技術分野】
【０００１】
本発明は、遊技機に関するものであり、たとえば、パチンコ遊技機などの遊技機であって、遊技機を所定のルートなどに振り分ける遊技球振り分け部材を備える遊技機に関するものである。
【背景技術】
【０００２】
パチンコ遊技機などの遊技機には、遊技球を複数のルートなどに振り分ける遊技球振り分け部材、たとえばクルーン部材を備えるものがある（特許文献１参照）。遊技球振り分け部材は、底の浅い擂り鉢状に形成される領域であって遊技球が転動可能な転動面を有する。そしてこの転動面の略中心（すなわち最凹部）近傍などには、たとえば複数箇所（一般的には２箇所または３箇所）に、遊技球が通過可能な（落下可能な）貫通孔（落下孔）が形成される。
【０００３】
遊技球は、誘導経路などから遊技球振り分け部材の転動面に案内されると、転動面の略中心（たとえば最凹部）を中心とする円周軌道を描くように転動しながら、徐々に転動面に中心に近付いてゆく。そして最終的には、転動面に形成される複数の貫通孔のいずれかを通じて、転動面から下方に落下する。貫通孔を通過した遊技球は、いずれの貫通孔を通過したかによって（換言すると、通過した貫通孔に応じて）、その後のルートが振り分けられる。
【０００４】
このような遊技球振り分け部材により遊技球のルートを振り分ける構成によれば、遊技球の動きに変化を与えることができ、ゲームの興趣を向上させることができる。たとえば、特定の貫通孔を通過した遊技球は、他の貫通孔を通過した遊技球に比較して、「大当たり」となる確率の高いルートに振り分けられるようにすると、遊技者は期待をもって、転動面上の遊技球の行方を見まもることになると考えられる。
【０００５】
しかしながらこのような遊技球振り分け部材においては、次のような問題が生じることがある。前記のように転動面上の遊技球は、円周軌道を描くように転動する。このような場合には、貫通孔を通過した遊技球は真下には落下せず、遊技球の有する慣性によって斜め方向に落下することがある。このように、貫通孔を通過した遊技球の落下地点は、遊技球が有する慣性によって異なるため、遊技球の落下地点がばらつき、安定しないことがある。
【０００６】
前記のように、本来であれば、所定の貫通孔を通過した遊技球は、その後通過した貫通孔に応じて所定のルートに振り分けられる。しかしながら遊技球の落下地点の位置が遊技球ごとにばらつくと、遊技球が、本来振り分けられるルートとは異なるルートに振り分けられることがある。たとえば本来であれば「大当たり」となる確率の高いルートに振り分けられる貫通孔を通過したにもかかわらず、「大当たり」になる確率が低いルートに振り分けられることがある。そうすると、遊技者の期待にそぐわなくなることがあり、遊技に対する興趣が減少するおそれがある。
【０００７】
【特許文献１】特開２００６−１１５８９９号公報
【発明の開示】
【発明が解決しようとする課題】
【０００８】
上記実情に鑑み、本発明が解決しようとする課題は、遊技球振り分け部材により遊技球を振り分ける構成を有する遊技機において、クルーンに形成される貫通孔を通過した遊技球の落下地点の位置を安定させることができる遊技機を提供すること、または、クルーンに形成される複数の貫通孔のうちの特定の貫通孔を通過した遊技球の落下地点の位置を安定させることにより当該特定の貫通孔を通過した遊技球のその後のルートを確定的に決定することができる遊技機を提供することである。
【課題を解決するための手段】
【０００９】
前記課題を解決するため、本発明は、遊技球が転動可能な複数のルートと、遊技球を前記複数のルートに振り分ける遊技球振り分け部材とを備える遊技機において、前記遊技球振り分け部材には、遊技球が転動する擂り鉢状の転動面と、該転動面に形成され該転動面を転動する遊技球を前記複数のルートに振り分ける複数の貫通孔と、が形成されるとともに、前記複数の貫通孔のうち、前記複数のルートのうちの特定のルートに遊技球を振り分ける貫通孔の開口部周縁には、前記遊技球振り分け部材の転動面の下面から前記特定のルートに向かって突出するガイドが形成され、前記貫通孔を通過する遊技球の前記貫通孔の軸線方向以外の動きを規制することを要旨とするものである。
【００１０】
前記ガイドは略円筒形状に形成されて前記貫通孔を囲繞し、前記貫通孔を通過する遊技球の前記貫通孔および前記ガイドの軸線方向以外の動きを規制する構成であることが好ましい。
【００１１】
前記特定のルートのうち、少なくとも前記ガイドが形成される貫通孔に対向する位置およびその近傍には、前記貫通孔を通過して前記特定のルートに振り分けられた遊技球が前記特定のルートから脱落することを規制する落下防止壁が形成される構成であることが好ましい。
【００１２】
前記遊技球振り分け部材に遊技球を導入する誘導経路を備えており、該誘導経路には前記特定のルート以外のルートに遊技球を誘導する導出部が形成される構成であることが好ましい。
【００１３】
前記複数のルートは、遊技球が入賞口に入賞する確率が比較的高いルートと、遊技球が入賞口に入賞する確率が比較的低いかまたは入賞口に入賞しない他のルートとを備えており、前記特定のルートは、前記遊技球が入賞口に入賞する確率が比較的高いルートである構成であることが好ましい。
【００１４】
遊技球が転動可能なルートと、遊技球を前記ルート上の異なる位置に振り分ける遊技球振り分け部材を備える遊技機において、前記遊技球振り分け部材には遊技球が転動する擂り鉢状の転動面と、該転動面に形成され転動面を転動する遊技球を前記ルート上の異なる位置に振り分ける複数の貫通孔と、が形成されるとともに、前記複数の貫通孔のうちの前記遊技球のルート上の特定の位置に遊技球を振り分ける貫通孔の開口部周縁には前記遊技球振り分け部材の転動面の下面から前記のルートの特定の位置に向かって突出するガイドが形成され、前記貫通孔を通過する遊技球の前記貫通孔の軸線方向以外の動きを規制することを要旨とするものである。
【００１５】
前記ガイドは略円筒形状に形成されて前記貫通孔を囲繞し、前記貫通孔を通過する遊技球の前記貫通孔および前記ガイドの軸線方向以外の動きを規制する構成であることが好ましい。
【００１６】
前記ルート上の少なくとも前記リブが形成される貫通孔を通過した遊技球が落下する位置およびその近傍には、前記ルート上に落下した遊技球が前記ルートから脱落することを規制する落下防止壁が形成される構成であることが好ましい。
【００１７】
前記ルートは、遊技球が入賞口に入賞する確率が比較的高いルートと、遊技球が入賞口に入賞する確率が比較的低いかまたは入賞口に入賞しない他のルートとを備えており、前記遊技球振り分け部材は、前記入賞口に入賞する確率が高いルート上の異なる位置に遊技球を振り分けるものであり、前記遊技球のルート上の少なくとも前記ガイドが形成される貫通孔を通過した遊技球が落下する位置および近傍には、前記貫通孔から振り分けられた遊技球が、前記遊技球が入賞口に入賞する確率が比較的高いルートから脱落することを規制する落下防止壁が形成され、前記遊技球のルート上の前記ガイドが形成されない貫通孔を通過した遊技球が落下する位置には、落下した遊技球を前記遊技球が入賞口に入賞する確率が比較的低いかまたは入賞口に入賞しない他のルートに誘導する導出部が形成される構成であることが好ましい。
【００１８】
前記遊技球振り分け部材に遊技球を導入する誘導経路を備えており、該誘導経路には前記遊技球が入賞口に入賞する確率が比較的低いかまたは入賞口に入賞しない他のルートに遊技球を誘導する導出部が形成される構成であることが好ましい。
【発明の効果】
【００１９】
本発明によれば、複数の貫通孔のうち、前記複数のルートのうちの特定のルートに遊技球を振り分ける貫通孔の開口部周縁には、前記遊技球振り分け部材の転動面の下面から前記特定のルートに向かって突出するリブが形成されるから、このリブによって、貫通孔を通過する遊技球の当該貫通孔の軸線方向以外の動きが規制される。したがって、クルーンに形成される貫通孔を通過した遊技球の落下地点の位置を安定させることができる。また、クルーンに形成される複数の貫通孔のうちの特定の貫通孔を通過した遊技球の落下地点の位置を安定させることにより、当該特定の貫通孔を通過した遊技球のその後のルートを確定的に決定することができる。
【００２０】
前記特定のルートのうち、少なくとも前記リブが形成される貫通孔に対向する位置およびその近傍にはリブが形成される。このリブによって、特定のルートに振り分けられた遊技球が、当該特定のルートから逸脱することを防止できる。
【発明を実施するための最良の形態】
【００２１】
以下に、本発明の実施形態について、図面を参照して詳細に説明する。図１は、本発明の実施形態にかかる遊技機１の正面を示した平面図である。図１に示すように、本発明の実施形態にかかる遊技機１は、パチンコ遊技機である。
【００２２】
なお、説明の便宜上、本発明の実施形態にかかる遊技機１においては、「遊技機１の前面側」とは遊技機１の正面側（遊技者が遊技を行う側）をいうものとし、「遊技機１の裏面側」または「後方側」とは、遊技機１の背面側（遊技者が遊技を行う側とは反対側）というものとする。また、遊技機１の左側、右側、上側、下側とは、常態において遊技機１を正面側（遊技者側）から見た場合における、左側、右側、上側、下側をいうものとする。
【００２３】
本発明の実施形態にかかる遊技機１は、機枠１０１に装着される。機枠１０１は、四辺形の略額縁状に形成される枠体であり、所定の奥行きを有する。この機枠１０１の前面側には、機枠１０１に対して開閉可能な前面枠１０２が設けられる。さらにこの前面枠１０２には、この前面枠１０２に対して開閉可能な透明板保持枠１０３が取り付けられている。
【００２４】
具体的には、前面枠１０２の片側縁が機枠１０１の片側縁（本発明の実施形態にかかる遊技機１においては左側縁）に、ヒンジなどによって軸着されており、このため、前面枠１０２は機枠１０１に対して前方に向けて開閉可能に組み付けられる。また、透明板保持枠１０３の片側縁は前面枠１０２の片側縁（本発明の実施形態にかかる遊技機１においては左側縁）に、ヒンジなどによって軸着されており、このため、透明板保持枠１０３は、前面枠１０２に対して前方に向けて開閉可能に組み付けられる。
【００２５】
図１に示すように、前面枠１０２の下部（透明板保持枠１０３の下方）には、下皿部材１０４や発射ハンドル１０５などが設けられている。下皿部材１０４は、その片側縁が前面枠１０２の片側縁（本発明の実施形態にかかる遊技機１においては左側縁）に、ヒンジなどによって軸着されており、前面枠１０２に対して前方に向けて開閉可能に組み付けられる。
【００２６】
下皿部材１０４には、下皿１０４１や球抜き操作部１０４２などが設けられる。下皿１０４１は、払い出された遊技球のうち、上皿（後述）に入りきらない遊技球を貯留することができる。球抜き操作部１０４２は、これを操作することによって、下皿１０４１に貯留される遊技球を、遊技機１の外部（に置かれる遊技球の容器など）に流し落とすことができる。発射ハンドル１０５は、遊技球を発射するためのタッチスイッチなどを備える。
【００２７】
透明板保持枠１０３には、ガラス板やプラスチック板などからなる透明板１０３１が配設される。この透明板１０３１は、透明板保持枠１０３を閉じた状態において遊技盤１０６（後述）の前面側に位置する。したがって、本発明の実施形態にかかる遊技機１の前面側から、この透明板１０３１を通じて、遊技盤１０６が視認可能である。透明板保持枠１０３には、上皿１０３２が一体的に形成される。この上皿１０３２は、遊技盤１０６の遊技領域１０６１（後述）に発射するための遊技球を貯留することができる構造物である。この上皿１０３２には、貯留されている遊技球を下皿１０４１に流し落とすための上皿操作部（図略）や、貸出可能な遊技球（貸し球）を払い出すための貸し球操作部（図略）などが設けられている。また、透明板保持枠１０３の上部の左右両側には、スピーカ１０３３が設けられている。
【００２８】
遊技盤１０６は、前面枠１０２に着脱可能に取り付けられている。遊技盤１０６の周縁には、内側ガイドレール１０６２と外側ガイドレール１０６３とが、略円弧状に形成されている。これらのガイドレール１０６２，１０６３は、発射装置から発射された遊技球を遊技盤１０６の遊技領域１０６１に案内するための部材である。遊技盤１０６の遊技領域１０６１は、遊技盤１０６のガイドレール（内側ガイドレール１０６２および外側ガイドレール１０６３）によって囲まれる部分に形成される領域である。
【００２９】
図１に示すように、遊技盤１０６の遊技領域１０６１には、その略中心線上において、上から順に、表示装置１０７、始動入賞口１０８、大入賞口１０９、アウト口１１０が設けられる。また、表示装置１０７の左側には、普通図柄変動開始用入球口１１１が設けられる。さらに大入賞口１０９の左右両側にも、各種入賞口１１２が設けられる。表示装置１０７は、たとえば液晶表示パネルが適用される。そしてこの表示装置１０７は、特別図柄や普通図柄などを表示できる。
【００３０】
また、遊技盤１０６の遊技領域１０６１には、図示しない複数の遊技釘が立設される。これらの遊技釘は、遊技球が衝突することにより遊技球の流下態様に変化を与える障害物であり、遊技盤１０６の遊技領域１０６１を流下する遊技球は、遊技釘に衝突したときの条件に応じて流下態様が様々に変化する。
【００３１】
表示装置１０７の前面の一部と周囲には、センター役物１１３が配設される。図２はセンター役物１１３の構成を模式的に示した平面図である。センター役物１１３は、センター飾り部材１１３１、キャラクター駆動役物１１３２、表示部材１１３３、遊技球転動手段２などを備える。センター飾り部材１１３１は、枠状の部材であり、遊技盤１０６の前面側に設けられる。センター飾り部材１１３１の略中央には、表示装置１０７が表示する図柄を視認可能な開口部が形成されるとともに、枠状の部分が表示装置１０７の周囲を装飾している。センター飾り部材１１３１の背面側には、その枠形状に沿って複数の装飾ランプ（図略）が配設されており、装飾ランプの発する光によって枠形状の部分を装飾する。
【００３２】
センター飾り部材１１３１の左側には、センター飾り部材１１３１の内側に遊技球を導入する遊技球受入口１１３４が形成されるとともに、センター飾り部材１１３１の下部には、導入した遊技球が所定の態様で転動する遊技球転動手段２が配設される。さらにセンター飾り部材１１３１の下部には、所定の態様の転動をした遊技球が排出される遊技球排出口１１３５が形成される。遊技球転動手段２の詳細な構成および遊技球転動手段２における遊技球の詳細な転動態様については後述する。
【００３３】
簡単に説明すると、遊技球転動手段２は、複数の遊技球経路が形成されるステージ部材２１と、ステージ部材２１に形成される複数の遊技球経路に遊技球を振り分けるクルーン部材２２（請求の範囲でいう遊技球振り分け部材）と、センター飾り部材１１３１の遊技球受入口１１３４に導入された遊技球をクルーン部材２２に誘導する遊技球誘導経路２３とを備える。そして、センター飾り部材１１３１の遊技球受入口１１３４に導入された遊技球は、遊技球誘導経路２３を転動し、その一部がクルーン部材２２に誘導される。クルーン部材２２に誘導された遊技球は、クルーン部材２２において、ステージ部材２１に形成される複数の遊技球経路に振り分けられる。振り分けられた遊技球は、振り分けられた遊技球経路に応じて所定の態様で転動し、最終的にはセンター役物１１３の外部に流下する。
【００３４】
キャラクター駆動役物１１３２は、センター飾り部材１１３１の右側端部の第一原点と、この第一原点から左向きに所定の距離だけ離れた第二原点の間を、揺動するように往復移動することができる。表示部材１１３３は遊技機１の機種名などを表示する部材であり、文字や図柄が形成されている。表示部材１１３３の背面側には装飾ランプが配設されており、この装飾ランプが発光することにより、表示部材１１３３を装飾する。
【００３５】
図３は、本発明の実施形態にかかる遊技機１の背面図である。図３に示すように、本発明の実施形態にかかる遊技機１の背面側には、枠用外部端子基板５０１、図柄制御基板５０２、主制御基板５０３、音声制御基板５０４、払出制御基板５０６、発射装置制御基板５０７、電源基板５０８などの各種基板が設けられる。さらに、カードインターフェース接続部５０９、球寄せ５１０、タンク５１１、タンクレール５１２、払出装置５１３、発射装置５１４などが設けられている。また、図３では記載を省略したが、本発明の実施形態にかかる遊技機１は、制御基板としてサブ制御基板５１５を備える。
【００３６】
図１に戻って説明すると、本発明の実施形態にかかる遊技機１は、発射ハンドル１０５の操作により、発射装置５１４が遊技球を遊技盤１０６の遊技領域１０６１に向けて発射する。発射された遊技球は、遊技盤１０６の前面を転動しながら落下する。そして落下する遊技球が、始動入賞口１０８などの入賞装置に入ると、所定の賞球（遊技球）が、遊技球払出口（図略）から払い出されるように構成される。
【００３７】
次に、センター役物１１３に設けられる遊技球転動手段２について、詳細に説明する。図４は、遊技球転動手段２の構成を模式的に示した分解斜視図である。図５は、遊技球転動手段２の構成を模式的に示した外観斜視図である。なお、図５においては、蓋体２４が組み付けられる前の状態を示す
【００３８】
図４および図５に示すように、遊技球転動手段２は、クルーン部材２２と、このクルーン部材２２の蓋体２４と、遊技球誘導経路２３と、ステージ部材２１と、枠飾り部材２５と、遮光部材２８と、ＬＥＤレンズ２６と、レンズシート２７と、その他所定の図略の部材とを備える。
【００３９】
遊技球誘導経路２３は、センター飾り部材１１３１の遊技球受入口１１３４に流下した遊技球を、クルーン部材２２に誘導する経路である。図４および図５に示すように、遊技球誘導経路２３は、長手方向に直角な方向の断面が略円弧状に形成されており、遊技球誘導経路２３の長手方向に沿って、遊技球が転動可能である。遊技球誘導経路２３は、センター飾り部材１１３１の遊技球受入口１１３４に近い側に形成される下に凸の凹状の部分（換言すると谷状の部分）と、クルーン部材２２に近い側に形成される上に凸の山状の部分を有する。
【００４０】
そして遊技球誘導経路２３の下に凸の部分の最凹部には、遊技球誘導部２３１が形成される。遊技球誘導部２３１は、遊技球誘導経路２３を転動する遊技球を、遊技球誘導経路２３の外に誘導する部分である。遊技球誘導部２３１は、具体的には、その底面が遊技球誘導経路２３の長手方向の直角方向に沿って下方に向かって傾斜するように形成される。
【００４１】
したがって、センター飾り部材１１３１の遊技球受入口１１３４に流下した遊技球は、まず、遊技球誘導経路２３の下に凸の部分を最凹部に向かって転動する。そして最凹部を通過した遊技球は、その勢い（運動エネルギ）によって上に凸の山状の部分を登る。上に凸の山状の部分の頂部を乗り越えた遊技球は、再び下り坂を下り、所定の勢いをもってクルーン部材２２に導かれる。上に凸の山状の部分を乗り越えることができなかった遊技球は、遊技球誘導経路２３を逆走し、下に凸の部分の最凹部に戻る。そして最凹部に形成される遊技球誘導部２３１を通じて、遊技球誘導経路２３から落下する。なお、センター飾り部材１１３１の遊技球受入口１１３４に流下した遊技球には、遊技球誘導経路２３の下に凸の部分を最凹部に向かって転動し、そのまま遊技球誘導部２３１を通じて遊技球誘導経路２３から落下するものもある。
【００４２】
クルーン部材２２は、遊技球を複数のルートに振り分ける部材である。図４に示すように、クルーン部材２２には底の浅い略擂り鉢状の転動面２２１と、この転動面２２１を囲繞する側壁２２２とを有する。この転動面２２１には、転動面２２１を転動する遊技球を複数のルートに振り分ける複数の貫通孔（本実施形態において２箇所の貫通孔２２３，２２４）と、遊技球をこれらの貫通孔２２３，２２４のいずれかに誘導する傾斜面を有する凸状のリブ２２５が形成される。
【００４３】
具体的には、転動面２２１は略円形に形成される。この転動面２２１は円の略中心に向かうにしたがって徐々に底が深くなるような傾斜面であり、転動面２２１全体として底の浅い擂り鉢状または漏斗状の形状を有する。そして転動面２２１の外周には遊技球をガイドする側壁２２２が形成される。
【００４４】
転動面２２１の略中心から所定の距離だけ離れた位置には、遊技球が通過可能な（落下可能な）複数の貫通孔２２３，２２４が形成される。本発明の実施形態においては、２箇所の貫通孔２２３，２２４が形成される。具体的には、各貫通孔２２３，２２４は、転動面２２１の中心から等しい距離に形成され、かつ転動面２２１の中心を通過する直線状に並ぶように形成される（すなわち、一方の貫通孔２２３の中心、転動面２２１の中心、他方の貫通孔２２４の中心が等間隔で一直線上に並ぶ）。
【００４５】
そして転動面２２１の最凹部（転動面２２１の略中心。換言すると複数箇所の貫通孔２２３，２２４の間）には、転動面２２１に形成される２箇所の貫通孔２２３，２２４のいずれか一方に遊技球を誘導するリブ２２５が形成される。すなわち、このリブ２２５の両側に一箇所ずつの計２箇所の貫通孔２２３，２２４が形成される。換言すると、２箇所の貫通孔２２３，２２４が、このリブ２２５を挟んで対向する位置に形成される。このリブ２２５は貫通孔２２３，２２４に向かって傾斜する傾斜面を有する。具体的にはこのリブ２２５は、上端に向かうにしたがって先細りとなる略錐形に形成される。そして錐形の側面が貫通孔２２３，２２４に向かって傾斜する傾斜面となる。
【００４６】
このリブ２２５の形状は、円錐形や、三角錐形、四角錐形などの多角錐形などといった先細りの形状で、その側面が傾斜面であれば良く、形状が限定されるものではない。本発明の実施形態にかかる遊技機１においては、四角錐が適用される構成を示す。そして四角錐の稜線（底面の四辺形の対角線）の一方は、２箇所の貫通孔２２３，２２４の中心を結ぶ線に略一致する。また、四角錐の稜線（底辺の四辺形の対角線）の他方は、２箇所の貫通孔２２３，２２４の中心を結ぶ線に略直角方向に延伸する。このため、このリブ２２５は全体として、複数の（２箇所の）貫通孔２２３，２２４の中心を結ぶ線に略直角な方向に延伸し、その両端が先細りに形成される。
【００４７】
図６は、クルーン部材２２および遊技球誘導経路２３を上方から見た平面図に、遊技球の転動経路を描き加えた図である。図６に示すように、クルーン部材２２の転動面２２１は略円形に形成され、円形の転動面２２１の略中心には略四角錐形のリブ２２５が形成される。そしてリブ２２５の両側に一箇所ずつの貫通孔２２３，２２４が形成される。換言すると二箇所の貫通孔２２３，２２４の間に略四角錐形状のリブが形成される。なお、リブ２２５は、四角錐形の一部が貫通孔２２３，２２４により侵蝕されたような構成を有するため、厳密には四辺形ではないが、ここでは「四辺形」と称する。そして、四角錐の稜線（底面の四辺形の対角線）の一方は、各貫通孔２２３，２２４の中心を結ぶ線に略一致する。また、四角錐の稜線の他方は、各貫通孔２２３，２２４の中心を結ぶ線に直角方向に延伸する。したがって、各貫通孔２２３，２２４の中心を結ぶ線に直角方向な線を基準として見ると、リブ２２５は当該各貫通孔２２３，２２４の中心を結ぶ線に直角方向な線の方向に延伸するとともに、その両端が先細り形状に形成される。
【００４８】
このリブ２２５の長さ（各貫通孔２２３，２２４の中心を結ぶ線に直角方向な線の方向の長さ）は、貫通孔２２３，２２４の直径よりも大きく形成される。そして、リブ２２５の長さ方向の両端は、貫通孔２２３，２２４の直径より転動面２２１の半径方向外側（外周側）に突出している。
【００４９】
図６に示すように、遊技球誘導経路２３は、クルーン部材２２の転動面２２１の外周近傍に、クルーン部材２２の転動面２２１の円周方向に遊技球を導入するように構成される。また、前記のように遊技球誘導経路２３のクルーン部材２２側には、上に凸となる山状の部分が形成されているから、遊技球誘導経路２３のクルーン部材２２との接合部分近傍は、クルーン部材２２の転動面２２１に向かって下降する傾斜面となる。したがって、遊技球誘導経路２３を通じてクルーン部材２２の転動面２２１に誘導された遊技球は、図６の矢印に示すように、クルーン部材２２の転動面２２１の外周近傍に、所定の勢いをもって進入する。そしてクルーン部材２２の転動面２２１が略中心に向かって下降するように傾斜しているため、遊技球は、円周軌道（らせん状の軌道）を描きながら徐々にクルーン部材２２の転動面２２１の中心に近付いてゆく。
【００５０】
転動面２２１の中心に近付いた遊技球は、貫通孔２２３，２２４の中心を結ぶ直線に直角方向に延伸するリブ２２５の先端近傍の傾斜面に衝突し、そのまま傾斜面に案内されるようにして貫通孔２２３，２２４のいずれか一方に落下する。遊技球がいずれの貫通孔２２３，２２４に落下するかは、転動面２２１を転動する遊技球の軌道によって異なる。そして転動面２２１を転動する遊技球の軌道は、主に、転動面２２１に進入する際の遊技球の勢い（速度）に依存する。たとえば図６に示す例では、勢い（速度）が小さい遊技球（実線で軌跡を描く）は、転動面２２１の略中心に早く到達し、リブ２２５の傾斜面に早く接触する。これに対して勢い（速度）が大きい遊技球（破線で軌跡を描く）は、転動面２２１の略中心に遅く到達し、リブ２２５の傾斜面に遅く接触するため、リブ２２５の傾斜面に早く到達する遊技球に比較して、円周軌道を描く運動をする期間が長い。このように、遊技球の転動面２２１に進入したときの勢い（速度）に応じて遊技球の軌道（軌跡）が相違し、このため、遊技球がリブ２２５のどの位置に接触するかが相違する。そして、遊技球がリブ２２５のどの位置に接触したかによって、遊技球がいずれの貫通孔２２３，２２４に落下するかが相違する。
【００５１】
このように、クルーン部材２２に形成される複数の（本発明の実施形態においては２箇所の）貫通孔２２３，２２４の間にはリブ２２５が形成され、かつこのリブ２２５は、遊技球をいずれかの貫通孔２２３，２２４に誘導する傾斜面を有するから、遊技球はこの傾斜面によって、スムーズにいずれかの貫通孔２２３，２２４に誘導される。このため、複数の貫通孔２２３，２２４の間に遊技球が滞留することが防止または抑制され、クルーン部材２２の転動面２２１において、球詰まりが発生することを防止または抑制できる。
【００５２】
また、このリブ２２５は、複数の貫通孔２２３，２２４の中心を結ぶ線に直角な方向に延設されるから、クルーン部材２２の転動面２２１を転動する遊技球は、転動面２２１の略中心（または最凹部）近傍において勢いが小さくなる前に（すなわち、転動の速度が低くなる前に）、リブ２２５の先端に接触し、傾斜面により貫通孔２２３，２２４に誘導される。したがって、遊技球がクルーン部材２２の転動面２２１において、転動の速度が低くなってそのまま滞留することを防止または抑制することができる。ここで、リブ２２５の両端は先細り形状に形成されるから、遊技球がリブ２２５の両端近傍に滞留することが防止または抑制できる。
【００５３】
特に、リブ２２５の長さ（各貫通孔２２３，２２４の中心を結ぶ線に直角方向な線の方向の長さ）が、貫通孔２２３，２２４の直径よりも大きく形成され、リブ２２５の長さ方向の両端が、貫通孔２２３，２２４の直径よりの転動面２２１の半径方向外側（外周側）に突出しているから、遊技球は、その勢いが小さくなる前にリブ２２５の先端に接触して貫通孔２２３，２２４に誘導される。このように、円周軌道を描く（らせん状に転動する）遊技球を貫通孔２２３，２２４に入球しやすくすることが可能となる。そして遊技球が貫通孔２２３，２２４に落下しないことに起因する転動面２２１上で球詰まりを防止または抑制することができる。
【００５４】
図４および図５に戻って説明する。クルーン部材２２の蓋体２４は、クルーン部材２２の上部を覆う部材であり、略半球状に形成される部材である。この蓋体２４は、ネジなどによってクルーン部材２２に固定される。このような蓋体２４がクルーン部材２２に固定されることにより、クルーン部材２２の転動面２２１を転動する遊技球が、転動面２２１から逸脱することを防止する。
【００５５】
この蓋体２４には、クルーン部材２２の遊技球の入口（遊技球誘導経路２３とクルーン部材２２との接合箇所）に、遊技球が通過可能なように切り欠きが形成される。また、この蓋体２４の頂上に相当する部分には、この蓋体２４に覆われる領域（すなわち、たとえば転動面２２１）にアクセス可能な開口部２４１が形成される。このような開口部２４１が形成されると、たとえばクルーン部材２２の転動面２２１上において球詰まりや遊技球の滞留が発生した場合において、この開口部２４１を通じてただちに遊技球の除去や球詰まりを生じた遊技球の突き崩しなどを行うことができる。このように、クルーン部材２２において球詰まりや遊技球の滞留が発生した場合において、その解消が容易となる。
【００５６】
図７は、クルーン部材２２および遊技球誘導経路２３を下方から見た斜視図である。図７に示すように、クルーン部材２２の転動面２２１の裏面（底面）には、遊技球を振り分けるための複数の貫通孔（本発明の実施形態にかかる遊技機においては、２箇所の貫通孔）２２３，２２４が形成される。そして複数の貫通孔２２３，２２４のうちの特定の貫通孔２２３の周縁には、貫通孔２２３を通過（落下）する遊技球の、貫通孔２２３の軸線方向以外の方向の動きを規制するためのガイド２２６が形成される。本発明の実施形態にかかる遊技機１においては、２箇所の貫通孔２２３，２２４のうちの一方の貫通孔２２３の周縁にこのガイド２２６が形成される。
【００５７】
このガイド２２６は、クルーン部材２２の転動面２２１の裏面に（底面）に形成される部位であり、図７に示すように、軸線方向長さが短い略円筒形状に形成される。そしてクルーン部材２２の貫通孔２２３の軸線とこのガイド２２６の軸線とは略一致する。また、貫通孔２２３の内径とこのガイド２２６の内径は略等しく形成される。ガイド２２６の内径は、遊技球の直径より多少大きい程度に設定される。要は、遊技球が容易に通過でき、かつガイド２２６の軸線方向以外の方向に遊技球が運動することを抑制できる程度であればよい。
【００５８】
前記の通り、クルーン部材２２の転動面２２１を転動する遊技球は、所定の勢いをもって円周軌道を描く。したがってクルーン部材２２の底面にガイド２２６が形成されないと、貫通孔２２３，２２４を通過した遊技球は、遊技球が有する慣性（遠心力）によって、クルーン部材２２の転動面２２１の半径方向外側に向かって落下することがある。すなわち、貫通孔２２３，２２４を通過した遊技球の落下方向は、遊技球が有する慣性により相違するため、遊技球の落下地点がばらついて安定しないことがある。これに対して、図７に示すように、貫通孔２２３の出口周縁に、貫通孔２２３の軸線方向に延伸するガイド２２６が形成されると、貫通孔２２３を通過する遊技球の運動（特に、貫通孔２２３の軸線方向以外の方向への運動）が規制される。したがって、このようなガイド２２６が形成される貫通孔２２３を通過（落下）する遊技球は、ガイド２２６の延伸方向に落下する。そしてこのガイド２２６の延伸方向が垂直方向であれば、貫通孔２２３を通過した遊技球は略垂直に落下する。したがって、貫通孔２２３を通過（落下）した遊技球の落下方向を規制し、特定の落下地点に遊技球を安定的に落下させることができる。
【００５９】
図４および図５に示すように、ステージ部材２１は、雛壇状に形成される部材である。そして、雛壇の上段に相当する部分には遊技球が転動可能な第一のルート２１１が形成され、下段に相当する部分には遊技球が転動可能な第二のルート２１２が形成される。換言すると、ステージ部材２１の上部に第一のルート２１１が形成されるとともに、第一のルート２１１の壁面の前面側でかつ下方に位置するように第二のルート２１２が形成される。そして第一のルート２１１と第二のルート２１２とが階段状の構造を有する。
【００６０】
第一のルート２１１には、前面側から見て左右の略中心に、第一の遊技球導出部２１３が形成される。この第一の遊技球導出部２１３は、背面側に向かって下降するように傾斜する凹部が形成される略半円状または略三角形状の領域である。この第一の遊技球導出部２１３に遊技球が載置されると、遊技球は、重力によって当該第一の遊技球導出部２１３を背面側に向けて転動し、第一のルート２１１から落下する。
【００６１】
また、第一のルート２１１には、前面側から見て第一の遊技球導出部２１３の左右両側に、第二の遊技球導出部２１４が形成される。これらの第二の遊技球導出部２１４は、前面側に向かって下降するように傾斜する凹部が形成される略半円状または略三角形状の領域である。これらの第二の遊技球導出部２１４に遊技球が載置されると、遊技球は、重力によって当該第二の遊技球導出部２１４を前面側に向けて転動し、第一のルート２１１から見て前方かつ下方にある第二のルート２１２上に落下する。
【００６２】
第一のルート２１１は、第一の遊技球導出部２１３からその左右両側の第二の遊技球導出部２１４にかけては、ゆるい降り勾配に形成される。また、第二の遊技球導出部２１４のさらに左右両側は、左右両端に向かうにしたがって上り勾配に形成される。このように、第一のルート２１１は、前面側より見て、ゆるいＷ字形状に形成され、谷底に相当する部分に第二の遊技球導出部２１４が形成される。
【００６３】
また、第一のルート２１１の前面側には、遊技球が第一のルート２１１から落下しないようにする落下防止壁２１６が形成される。具体的には、落下防止壁２１６は、第二の遊技球導出部２１４どうしの間と、第二の遊技球導出部２１４から左右両端までの間に形成される。したがって、遊技球が第二の遊技球導出部２１４以外の箇所から第二のルート２１２上に落下することが防止される。
【００６４】
第二のルート２１２には、前面側から見てその中心から左右にオフセットした位置に、第三の遊技球導出部２１５が形成される。具体的には、前面側から見て第一のルート２１１の第一の遊技球導出部２１３と第二の遊技球導出部２１４との間に、一箇所ずつ形成される。これらの第三の遊技球導出部２１５は、前面側に向かって下降するように傾斜する凹部が形成される略半円状または略三角形状の領域である。この第三の遊技球導出部２１５は、遊技球が載置されると、遊技球が重力によって当該第三の遊技球導出部２１５を前面側に向けて転動し、第二のルート２１２から落下するように構成される。
【００６５】
第二のルート２１２の第三の遊技球導出部２１５どうしの間は、緩やかに上に凸の山状の経路に形成される。また、右側の第三の遊技球導出部２１５よりさらに右側と、左側の第三の遊技球導出部２１５よりさらに左側は、両端に向かうにしたがって上り勾配となるような経路に形成される。したがって第二のルート２１２は、前面側から見て、第三の遊技球導出部２１５を谷底とする緩いＷ字形状に形成される。また、第二のルート２１２の前面側には、遊技球が第二のルート２１２から落下しないようにする落下防止壁２１７が形成される。具体的には、第三の遊技球導出部２１５の前面側を除くほぼ全長にわたって形成される。したがって、第二のルート２１２上にある遊技球は、第三の遊技球導出部２１５を通じてのみ第二のルート２１２から落下することができる。
【００６６】
枠飾り部材２５は、ステージ部材２１の背面側であって表示装置１０７の表示領域の下辺下方の前面側に配設される部材である。この枠飾り部材２５には、ステージ部材２１の第一のルート２１１の第一の遊技球導出部２１３から背面側に落下した遊技球が通過する中央経路２５１が形成されている。この中央経路２５１は、センター飾り部材１１３１の遊技球排出口１１３５に連通する。したがって、第一のルート２１１から中央経路２５１に落下した遊技球は、中央経路２５１および遊技球排出口１１３５を通じて、センター飾り部材１１３１の下方に落下する。センター飾り部材１１３１に形成される遊技球排出口１１３５の垂直下方には、遊技球が入球することにより遊技者に遊技特典を付与する始動入賞口１０８が設けられている（図１参照）。このため、第一のルート２１１から中央経路２５１に落下した遊技球は、センター飾り部材１１３１に形成される遊技球排出口１１３５を通じて、始動入賞口１０８に入賞しやすい構成となっている。
【００６７】
レンズシート２７は、枠飾り部材２５の背面側に配設されるシート状の光学部材である。レンズシート２７は、透過する光を所定の態様で集光や拡散することにより、枠飾り部材２５を光で装飾する。すなわち枠飾り部材２５は透明または半透明の部材により形成されており、枠飾り部材２５の背面側に配設されるレンズシート２７を通じて光を透過することにより、枠飾り部材２５が光で装飾される。ＬＥＤレンズ２６は、枠飾り部材２５の背面側に配設されるＬＥＤ（装飾ランプ。図略）が発する光を集光することができる。そして、ＬＥＤが発する光を集光して枠飾り部材２５の前面側に透過させることによって、枠飾り部材２５を光で装飾する。遮光部材２８は枠飾り部材２５の背面側に配設される装飾ランプが発する光が、不必要な箇所に漏れないようにする部材である。
【００６８】
このような部材を備える遊技球転動手段２の組み付け構成は、次のとおりである。図４および図５を参照する。ステージ部材２１の背面側に枠飾り部材２５が配設される。この際、ステージ部材２１の第一のルート２１１に形成される第一の遊技球導出部２１３と、枠飾り部材２５に形成される中央経路２５１の開口部とが臨設するようにする。また、ステージ部材２１の上方には、クルーン部材２２および遊技球誘導経路２３が配設される。具体的には、遊技球誘導経路２３はステージ部材２１の第二のルート２１２の略上方に位置するように配設される。そしてクルーン部材２２は、ステージ部材２１を前方から見て、ステージ部材２１および枠飾り部材２５の右端近傍に配設される。クルーン部材２２には、当該クルーン部材２２の上面を覆うように蓋体２４が装着される。この蓋体２４は、ネジなどによってクルーン部材２２に固定される。クルーン部材２２および遊技球誘導経路２３は、ネジによりステージ部材２１および枠飾り部材２５に固定される。枠飾り部材２５の背面側には、レンズシート２７、ＬＥＤレンズ２６、遮光部材２８が配設される。
【００６９】
図８は、遊技球転動手段２（クルーン部材２２、蓋体２４、遊技球誘導経路２３、ステージ部材２１および枠飾り部材２５などが組み付けられた構造物）を前面側から見た外観斜視図である。
【００７０】
図８に示すように、クルーン部材２２の転動面２２１に形成される貫通孔２２３，２２４は、いずれもステージ部材２１の第一のルート２１１に対向する。具体的には、二箇所の貫通孔２２３，２２４のうち、落下する遊技球の動きを規制するガイド２２６が形成される貫通孔２２３は、ステージ部材２１を前面側から見て第一のルート２１１の右端近傍であって傾斜している（湾曲している）位置に対向する。このガイド２２６が形成される貫通孔２２３が対向する位置には、第一のルート２１１から遊技球の落下を防止する落下防止壁２１６が設けられる。
【００７１】
一方、ガイド２２６が形成されない貫通孔２２４は、第一のルート２１１に形成される第二の遊技球導出部２１４にほぼ対向する。この第二の遊技球導出部２１４は、遊技球を第二のルート２１２上に落下させるための領域である。
【００７２】
このような構成によれば、ガイド２２６が形成される貫通孔２２３から第一のルート２１１上に落下した遊技球は、第一のルート２１１の傾斜面を下降するように転動し、勢い（運動エネルギ）が与えられる。そしてその勢いをもって右側の第二の遊技球導出部２１４を通過し、第一のルート２１１を前面側から見て右から左に向かって転動する。ここで、貫通孔２２３の周縁に形成されるガイド２２６により、遊技球の貫通孔２２３およびガイド２２６の軸線方向以外の運動は規制されるから（換言すると、遊技球は運動が規制されて略垂直に落下するから）、第一のルート２１１上の落下防止壁２１６がある位置に安定的に落下する。そして、ガイド２２６が形成される貫通孔２２３を通過した遊技球が落下する位置には、第一のルート２１１から遊技球が落下することを防止する落下防止壁２１６が設けられているから、遊技球は、第一のルート２１１上に安定的に落下する。
【００７３】
一方、ガイド２２６が形成されない貫通孔２２４を通過した遊技球は、第一のルート２１１に形成される右側の第二の遊技球導出部２１４の近傍に落下する。第一のルート２１１は前方から見て全体的に緩いＷ字形状に形成されており、第二の遊技球導出部２１４は、第一のルート２１１の谷底に相当する部分に形成される。このため、ガイド２２６が形成されない貫通孔２２４を通過して右側の第二の遊技球導出部２１４の近傍に落下した遊技球は、ガイド２２６が形成される貫通孔２２３を落下した遊技球とは異なり、第一のルート２１１の長手方向に沿った勢いが与えられない。したがって、そのまま第二の遊技球導出部２１４から第二のルート２１２上に落下する。
【００７４】
このように、クルーン部材２２によって、遊技球は第一のルート２１１上の異なる位置に振り分けられることになる。そして、ガイド２２６が形成される貫通孔２２３を通過した遊技球は、第一のルート２１１を転動し、ガイド２２６が形成されない貫通孔２２４を通過した遊技球は、第一のルート２１１からただちに第二のルート２１２に落下する。したがって実質的には、クルーン部材２２によって、遊技球が第一のルート２１１と第二のルート２１２に振り分けられることになる。
【００７５】
第一のルート２１１には、第一の遊技球導出部２１３が形成されており、この第一の遊技球導出部２１３は中央経路２５１の開口部に臨設されている。前記の通り第一のルート２１１から中央経路２５１に落下した遊技球は、センター飾り部材１１３１に形成される遊技球排出口１１３５を通じて、遊技盤１０６面の遊技領域１０６１に落下する。遊技球排出口１１３５の下方には始動入賞口１０８が設けられているため、センター飾り部材１１３１に形成される遊技球排出口１１３５を通じて遊技盤１０６面の遊技領域１０６１に落下した遊技球は、始動入賞口１０８に入賞しやすい。
【００７６】
一方、第二のルート２１２を転動する遊技球は、最終的には第三の遊技球導出部２１５から遊技盤１０６面の遊技領域１０６１に落下する。第三の遊技球導出部２１５の下方には始動入賞口１０８やその他の入賞口は設けられていない。したがって、第二のルート２１２を転動する遊技球は、入賞口に入賞しにくい。
【００７７】
このように、第一のルート２１１は、遊技球が入賞口（始動入賞口１０８）に入賞する確率が比較的高いルートであり、第二のルート２１２は、遊技球が入賞口に入賞する確率が比較的低いかまたは入賞口に入賞しないルートである。すなわち、ステージ部材２１は、遊技球が入賞口に入賞する確率が比較的高い第一のルート２１１と、比較的低い第二のルート２１２とを有し、クルーン部材２２は、遊技球が入賞口に入賞する確率が比較的高い第一のルート２１１と、比較的低い第二のルート２１２に遊技球を振り分ける機能を有する。（厳密には、クルーン部材２２に形成される貫通孔２２３，２２４を通過した遊技球は、第一のルート２１１上に落下する。そして、ガイド２２６が形成される貫通孔２２３を通過した遊技球は、第一のルート２１１を転動し、ガイド２２６が形成されない貫通孔２２４を通過した遊技球は、第二の遊技球導出部２１４に落下し、さらに当該第二の遊技球導出部２１４から第二のルート２１２に落下する。そして第二のルート２１２上を転動する。）
【００７８】
次にこのような構成を有する遊技球転動手段２における、遊技球の全体的な転動態様について説明する。
【００７９】
センター飾り部材１１３１の遊技球受入口１１３４に流下した遊技球は、遊技球誘導経路２３の左端に導かれる。そして遊技球誘導経路２３の左端に導かれた遊技球は、傾斜面となっている遊技球誘導経路２３を、その下に凸の谷状に形成される最凹部に向かって自重により転動する。そして、最凹部を通過した遊技球は、その勢い（運動エネルギ）によって、上に凸に形成される山状の部分を登る。上に凸の山状の部分の頂部を乗り越えた遊技球は、再び降り坂となった遊技球誘導経路２３を下り、所定の勢いをもってクルーン部材２２の内部に導かれる。
【００８０】
上に凸の山状の部分の頂部を乗り越えることができなかった遊技球は、自重によって遊技球誘導経路２３を逆走し、下に凸の谷状の最凹部に戻る。そして最凹部に形成される遊技球誘導部２３１を通じて第一のルート２１１上に落下する。第一のルート２１１上に落下した遊技球は、前面側から見て左側に形成される第二の遊技球導出部２１４に向かって転動し、当該第二の遊技球導出部２１４から第二のルート２１２に落下する。第二のルート２１２に落下した遊技球は、前面側から見て左側に形成される第三の遊技球導出部２１５から、遊技盤１０６面の遊技領域１０６１に落下する。なお、センター飾り部材１１３１の遊技球受入口１１３４に流下した遊技球には、遊技球誘導経路２３の下に凸の部分を最凹部に向かって転動し、そのまま遊技球誘導部２３１を通じて遊技球誘導経路２３から落下するものもある。
【００８１】
クルーン部材２２の内部に誘導された遊技球は、クルーン部材２２の転動面２２１の外周近傍に、所定の勢いをもって進入する。そしてクルーン部材２２の転動面２２１は略中心に向かって下降するように傾斜しているため、遊技球は、円周軌道を描きながら徐々にクルーン部材２２の転動面２２１の中心に近付いてゆく。転動面２２１の中心に近付いた遊技球は、貫通孔２２３，２２４の中心を結ぶ直線に直角方向に延伸するリブ２２５の先端近傍の傾斜面に衝突し、そのまま傾斜面に案内されて貫通孔２２３，２２４のいずれか一方に落下する。遊技球がいずれの貫通孔２２３，２２４に落下するかは、転動面２２１を転動する遊技球の軌道によって異なる。そして転動面２２１を転動する遊技球の軌道は、主に、転動面２２１に進入する際の遊技球の勢い（速度）に依存する。
【００８２】
たとえば、勢い（速度）が小さい遊技球は、転動面２２１の略中心に早く到達し、リブ２２５の傾斜面に早く接触する。これに対して勢い（速度）が大きい遊技球は、転動面２２１の略中心に遅く到達し、リブ２２５の傾斜面に遅く接触するため、リブ２２５の傾斜面に早く到達する遊技球に比較して、円周軌道を描く運動をする期間が長い。このように、遊技球の転動面に進入したときの勢い（速度）に応じて遊技球の軌道（軌跡）が相違し、このため、遊技球がリブ２２５のどの位置に接触するかが相違する。そして、遊技球がリブ２２５のどの位置に接触したかによって、遊技球がいずれの貫通孔２２３，２２４に落下するかが相違する。
【００８３】
クルーン部材２２には、複数の（本発明の実施形態においては２箇所の）貫通孔２２３，２２４の間にリブ２２５が形成され、かつこのリブ２２５には、遊技球をいずれかの貫通孔２２３，２２４に誘導する傾斜面を有する。このため、遊技球はこの傾斜面によって、スムーズに貫通孔２２３，２２４のいずれかに誘導される。したがって、複数の貫通孔２２３，２２４の間に遊技球が滞留することが防止または抑制され、クルーン部材２２の転動面２２１において、球詰まりが発生することを防止または抑制できる。
【００８４】
裏面にガイド２２６が形成される貫通孔２２３を通過した遊技球は、前方から見て第一のルート２１１の右端の傾斜面上に落下する。そして、第一のルート２１１の当該傾斜面を下降するように転動し、勢い（運動エネルギ）が与えられる。その勢いをもって右側の第二の遊技球導出部２１４を通過し、第一のルート２１１を前面側から見て右から左に向かって転動する。そして、第一の遊技球導出部２１３を通じて中央経路２５１に落下するか、第二の遊技球導出部２１４を通じて第二のルート２１２上に落下する。
【００８５】
ここで、貫通孔２２３の周縁に形成されるガイド２２６により、遊技球の貫通孔２２３およびガイド２２６の軸線方向以外の運動は規制されるから（換言すると、遊技球は運動が規制されて略垂直に落下するから）、第一のルート２１１上の落下防止壁２１６がある位置に安定的に落下する。また、ガイド２２６が形成される貫通孔２２３を通過した遊技球が落下する位置には、第一のルート２１１から遊技球が落下することを防止する落下防止壁２１６が設けられているから、遊技球は、第一のルート２１１上に安定的に落下する。
【００８６】
中央経路２５１は、センター飾り部材１１３１に形成される遊技球排出口１１３５に連通している。したがって、第一の遊技球導出部２１３を通じて中央経路２５１に落下した遊技球は、センター飾り部材１１３１に形成される遊技球排出口１１３５を通じて、遊技盤１０６面の遊技領域１０６１に落下する。遊技球排出口１１３５の下方には、始動入賞口１０８が配設されているため、遊技球排出口１１３５を通じて遊技盤１０６面の遊技領域１０６１を落下した遊技球は、その多くまたはほとんどすべてが始動入賞口１０８に入賞する。
【００８７】
また、第二の遊技球導出部２１４から第二のルート２１２上に落下した遊技球は、第二のルート２１２上を転動し、最終的には第二のルート２１２に形成される第三の遊技球導出部２１５から遊技盤１０６面の遊技領域１０６１に落下する。第三の遊技球導出部２１５の下方には始動入賞口１０８などの入賞口は配設されていないから、第三の遊技球導出部２１５から遊技盤１０６面の遊技領域１０６１に落下した遊技球は、その多くまたはほとんどすべてが、入賞口に入賞することなく、アウト口１１０から遊技領域１０６１の外部に排出される。
【００８８】
一方、ガイド２２６が形成されない貫通孔２２４を通過した遊技球は、第一のルート２１１に形成される第二の遊技球導出部２１４の近傍に落下する。第一のルート２１１は前方から見て全体的に緩いＷ字形状に形成されており、第二の遊技球導出部２１４は、第一のルート２１１の谷底に相当する部分に形成される。このため、ガイド２２６が形成されない貫通孔２２４を通過して第二の遊技球導出部２１４の近傍に落下した遊技球は、ガイド２２６が形成される貫通孔２２３を落下した遊技球とは異なり、第一のルート２１１の長手方向の勢いが与えられない。したがって、そのまま第二の遊技球導出部２１４から第二のルート２１２上に落下する。第二の遊技球導出部２１４から第二のルート２１２上に落下した遊技球は、第二のルート２１２上を転動し、最終的には第二のルート２１２に形成される第三の遊技球導出部２１５から遊技盤１０６面の遊技領域１０６１に落下する。第三の遊技球導出部２１５から遊技盤１０６面の遊技領域１０６１に落下した遊技球は、その多くまたはほとんどすべてが、入賞口に入賞することなく、アウト口１１０から遊技領域１０６１の外部に排出される。
【００８９】
図９は、本発明の実施形態にかかる遊技機１の電気制御系を模式的に示したブロック図である。ここで、本発明の実施形態にかかる遊技機１の電気制御について図９を用いて説明する。図９に示されるように、主制御基板６１には、マイクロコンピュータ６２が構築されるとともに、このマイクロコンピュータ６２と結ばれる入出力回路６３，６４が構築される。マイクロコンピュータ６２は、ＣＰＵ６１１、ＲＯＭ６１２、ＲＡＭ６１３および複数のカウンタを備える。入出力回路６３には、表示装置１０７、ランプ制御基板６３１、音声制御基板６３２が接続される。また、入出力回路６４には、払出制御基板６４１、フォト分配基板６４２、中継基板６４３が接続される。そして、主制御基板６１によって、遊技に関するこれらの基板の制御が行われる。
【００９０】
主制御基板６１のＣＰＵ６１１は、制御部、演算部、各種カウンタ、各種レジスタ、各種フラグ等を備える。そして、演算制御を行う他、大当たり乱数等も生成する。また、各基板に制御コマンドを出力可能に構成されている。またＲＡＭ６１３は、始動入賞口センサ７０１等で検出された保留球数等を記憶する記憶領域、ＣＰＵ６１１で生成される各種乱数値用の記憶領域、各種データを一時的に記憶する記憶領域やフラグ、ＣＰＵ６１１の作業領域等を備えている。またＲＯＭ６１２には、遊技上の制御プログラムや、制御データが書き込まれている他、大当たりの数値等が書き込まれている。
【００９１】
表示制御基板６５には、マイクロコンピュータ６５１と、このマイクロコンピュータ６５１に接続される入力回路６５８、マイクロコンピュータ６５１と特別図柄表示装置６５５および普通図柄表示装置６５６とを接続する出力回路６５７とが構築される。マイクロコンピュータ６５１は、ＣＰＵ６５２、ＲＡＭ６５４、ＲＯＭ６５３を有する。この表示制御回路基板６５は、主制御基板６１から出力される制御信号に基づき、特別図柄表示装置６５５と、普通図柄表示装置６５６の表示部の制御を行う。
【００９２】
表示制御基板６５のＣＰＵ６５２は、その内部に、制御部、演算部、各種カウンタ、各種レジスタ、各種フラグ等を備える。そして、所定の演算制御を行うことができる。表示制御基板６５のＲＡＭ６５４は、各種データを記憶する記憶領域と、ＣＰＵ６５２による作業領域等を有している。表示制御基板６５のＲＯＭ６５３は、表示部の制御のための不変の情報、たとえば各種のプログラムや画像データ、定数等が記憶されている。
【００９３】
ランプ制御基板６３１は、本発明の実施形態にかかる遊技機１の装飾ランプ７１０等の発光を制御する。音声制御基板６３２は、主制御基板６１の入出力回路６３と接続される。そして、入出力回路６３から出力される制御信号に基づきスピーカ１０３３から発せられる音声を制御する。また、主制御基板６１の入出力回路６４には、その他ソレノイド類６４５が接続されており、入出力回路６４から出力される制御信号に基づきその他ソレノイド類６４５の動作が制御される。
【００９４】
払出制御基板６４１は、主制御基板６１の入出力回路６４に接続され、入出力回路６４から出力される制御コマンドを受信できる。そして受信した制御コマンドに基づいて、払出装置６４１３、カードユニット６４１４、発射制御回路７０５、賞球払出装置７０８を制御する。払出装置６４１３は、球貸モータ６４１１と球貸センサ６４１２から構成される。発射制御回路７０５は、発射装置６４１７に接続されており、発射装置６４１７は、発射モータ６４１５とタッチスイッチ６４１６から構成される。賞球払出装置７０８は、賞球モータ７０６、賞球センサ７０７，７０９から構成される。
【００９５】
中継基板６４３は、始動入賞口センサ７０１、その他センサ、スイッチ類７０２、大入賞口センサ７０３、大入賞口開閉扉ソレノイド７０４から受信した検知信号を主制御基板６１に送信する際や、主制御基板６１からの大入賞口開閉扉ソレノイド７０４の制御信号を受信する際の中継を行う。
【００９６】
次に、図１０および図１１に示されるフローチャートを参照して、本発明の実施形態にかかる遊技機１が備える主制御基板６１のＣＰＵ６１１が実行する遊技機の動作について説明する。図１０は主制御基板６１のＣＰＵ６１１が実行するメイン処理を示すフローチャートである。図１１は、図１０の割り込み処理を示すフローチャートである。
【００９７】
図１０に示されるように、主制御基板６１のＣＰＵ６１１は、電源オン時に初期設定等が行われるメインプログラムを実行するメイン処理（Ｓ１０〜Ｓ４０）を行う。メイン処理の最終処理ではループ処理を繰り返す。このループ処理を行っている間にタイマ割り込みが入り、４ｍｓ毎に割り込み処理（Ｓ５０）を実行する。初期設定（Ｓ１０）は、スタックの設定、定数設定、ＣＰＵの設定、ＳＩＯ、ＰＩＯ、ＣＴＣの設定等を実行する。なお、電源投入時のみに必要な処理が１巡目に実行され、２巡目以降の処理では実行されないが、この１巡目のみに実行される処理は周知の処理が行われるので、その詳細は省略する。
【００９８】
割り込み禁止（Ｓ２０）は、４ｍｓ毎のタイマ割り込みが入ってきても、割り込み許可（Ｓ４０）となるまで割り込み処理を行わないようにさせる。普通図柄・特別図柄主要乱数更新処理（Ｓ３０）は、各種乱数の更新を行う。割り込み許可（Ｓ４０）では、４ｍｓ毎のタイマ割り込みの許可を行う。
【００９９】
図１０は、割り込み処理（Ｓ５０）を示すフローチャートである。図１０に示されるように、割り込み処理（Ｓ５０）は、Ｓ１００〜Ｓ１７０の処理からなる。まず各処理で設定された出力用のコマンド（制御信号）を各種制御基板に出力する出力処理（Ｓ１００）を行う。ここで出力されるコマンド（制御信号）には、大当たり図柄データ、大当たり判定データ、ハズレ図柄データ等がある。次に、遊技機１に設けられている各種センサ（各入賞口の検出スイッチ等）が検知した場合の入力処理（Ｓ１１０）が行われる。
【０１００】
次いで、メイン処理の残余時間、つまりループ処理内で行われている処理と同様の普通図柄・特別図柄主要乱数更新処理（Ｓ１２０）が行われる。そして、始動入賞口スイッチ検出処理（Ｓ１３０）が行われる。具体的には、入力処理（Ｓ１１０）において、始動入賞口１８に入賞があって入賞信号を検知した場合に、保留球数が４個未満の場合に加算し、更に、その入賞に対する当たり乱数値を取得し、対応するＲＡＭ６１３に記憶する。
【０１０１】
次の普通動作処理（Ｓ１４０）は、普通図柄変動開始用入球口１１１内に設けられた普通図柄始動センサが遊技球の通過を検知したときに、ＲＡＭ６１３の普通図柄判定用カウンタ値の更新領域から、カウンタ値（乱数）を取得し、普通図柄変動開始用入球口１１１に対応させてＲＡＭ６１３に設けられた取得領域に格納する。
【０１０２】
次いで、特別動作処理（Ｓ１５０）は、特別ハズレ図柄作成処理を行った後、特別動作ステータスの値から、特別図柄待機処理、変動中処理、特別図柄確定処理、特別電動役物処理のいずれかの処理を行う。なお、これら特別図柄待機処理、変動中処理、特別図柄確定処理、特別電動役物処理についての詳細な説明は省略する。保留球数処理（Ｓ１６０）は、ＲＡＭ６１３に記憶された保留球数を読み出し、読み出した保留球数データを、ＲＡＭ６１３の出力バッファにセットする。そして、その他の処理（Ｓ１７０）では、遊技に必要な他の様々な処理が行われるが、その詳細についての説明は省略する。
【０１０３】
以上、本発明の実施形態にかかる遊技について説明したが、本発明は前記実施形態に何ら限定されるものではなく、本発明の趣旨を逸脱しない範囲において種々の改変が可能である。たとえば前記実施形態において、クルーン部材には二箇所の貫通孔が形成され、その一方にガイドが形成される構成と示したが、すべての貫通孔にガイドが形成される構成であっても良い。また、クルーン部材に形成される貫通孔の数は限定されるものではなく、三箇所以上に貫通孔が形成される構成であっても良い。そしてこの場合には、少なくとも一箇所の貫通孔にガイドが形成される構成であればよい。
【図面の簡単な説明】
【０１０４】
【図１】本発明の実施形態にかかる遊技機の正面を示した平面図である。
【図２】本発明の実施形態にかかる遊技機のセンター役物の構成を模式的に示した平面図である。
【図３】本発明の実施形態にかかる遊技機の背面図である。
【図４】遊技球転動手段の構成を模式的に示した分解斜視図である。
【図５】遊技球転動手段の構成を模式的に示した外観斜視図である。
【図６】クルーン部材および遊技球誘導経路を上方から見た平面図に、遊技球の転動経路を描き加えた図である。
【図７】クルーン部材および遊技球誘導経路を下方から見た斜視図である。
【図８】遊技球転動手段（クルーン部材、蓋体、遊技球誘導経路、ステージ部材および枠飾り部材などが組み付けられた構造物）を前面側から見た外観斜視図である。
【図９】本発明の実施形態にかかる遊技機の電気制御系を模式的に示したブロック図である。
【図１０】主制御基板のＣＰＵが実行するメイン処理を示すフローチャートである。
【図１１】図１０の割り込み処理を示すフローチャートである。
【符号の説明】
【０１０５】
１  パチンコ遊技機
１０１  機枠
１０２  前面枠
１０３  透明板保持枠
１０３１  透明板
１０３２  上皿
１０３３  スピーカ
１０４  下皿部材
１０４１  下皿
１０４２  球抜き操作部
１０５  発射ハンドル
１０６  遊技盤
１０６１  遊技領域
１０６２  内側ガイドレール
１０６３  外側ガイドレール
１０７  表示装置
１０８  始動入賞口
１０９  大入賞口
１１０  アウト口
１１１  普通図柄変動開始用入球口
１１２  各種入賞口
１１３  センター役物
１１３１  センター飾り部材
１１３２  キャラクター駆動役物
１１３３  表示部材
１１３４  遊技球受入口
１１３５  遊技球排出口
２  遊技球転動手段
２１  ステージ部材
２１１  第一のルート
２１２  第二のルート
２１３  第一の遊技球導出部
２１４  第二の遊技球導出部
２１５  第三の遊技球導出部
２１６  落下防止壁
２１７  落下防止壁
２２  クルーン部材
２２１  転動面
２２２  側壁
２２３  貫通孔
２２４  貫通孔
２２５  リブ
２２６  ガイド
２３  遊技球誘導経路
２３１  遊技球誘導部
２４  蓋体
２４１  開口部
２５  枠飾り部材
２５１  中央経路
２６  ＬＥＤレンズ
２７  レンズシート
２８  遮光部材
５０１  枠用外部端子基板
５０２  図柄制御基板
５０３  主制御基板
５０４  音声制御基板
５０５  ランプ制御基板
５０６  払出制御基板
５０７  発射装置制御基板
５０８  電源基板
５０９  カードインターフェース接続部
５１０  球寄せ
５１１  タンク
５１２  タンクレール
５１３  払出装置
５１４  発射装置
６１  主制御基板
６１１  CPU
６１２  ROM
６１３  ＲＡＭ
６２  マイクロコンピュータ
６３  入出力回路
６３１  ランプ制御基板
６３２  音声制御基板
６４  入出力回路
６４１  払出制御基板
６４１１  球貸モータ
６４１２  球貸センサ
６４１３  払出装置
６４１４  カードユニット
６４１５  発射モータ
６４１６  タッチスイッチ
６４１７  発射装置
６４２  フォト分配基板
６４３  中継基板
６４５  ソレノイド類
６５  表示制御基板
６５１  マイクロコンピュータ
６５２  ＣＰＵ
６５３  ＲＯＭ
６５４  ＲＡＭ
６５５  特別図柄表示装置
６５６  普通図柄表示装置
６５７  出力回路
６６  ランプ制御基板
７０１  始動入賞口センサ
７０２  スイッチ類
７０３  大入賞口センサ
７０４  大入賞口開閉ソレノイド
７０５  発射制御基板
７０６  賞球モータ
７０７  賞球センサ
７０８  賞球払出装置
７０９  賞球センサ
【図１】
2010029363.tif 000003
【図２】
2010029363.tif 000004
【図３】
2010029363.tif 000005
【図４】
2010029363.tif 000006
【図５】
2010029363.tif 000007
【図６】
2010029363.tif 000008
【図７】
2010029363.tif 000009
【図８】
2010029363.tif 000010
【図９】
2010029363.tif 000011
【図１０】
2010029363.tif 000012
【図１１】
2010029363.tif 000013